(57)【要約】  出発点（1）および複数の目的地（3）を画面に表示する方法は、以下の、  −  位置ベースの表現で出発点（1）を選択し、そのまま出発点として画面に表す工程と、  −  複数の目的地（3）を選択し、目的地記号として位置ベースの表現で画面に表す工程と、  −  出発点（1）から出発して目的地（3）に到達する選択基準を設定する工程と、  −  時間ベースの表現における目的地（3）の位置を、出発点からの距離に基づいて、選択基準を考慮して算出する工程と、  −  時間ベースの表現において、目的地（3）を目的地記号として画面に表示する工程とを含み、位置ベースの表現も引き続き画面で視認可能であり、時間ベースの表現は出発点記号を中心とし、時間ベースの表現における出発点記号からの目的地記号の距離は選択基準の関数であり、さらに、  −  位置ベースも表現における個々の目的地記号の少なくとも１つの位置と時間ベースの表現における対応する目的地記号の関係性を表示する工程を含む。【選択図】図５
2019500617.tif 000002
【特許請求の範囲】
【請求項１】
入力装置に接続されたデータ処理装置に接続された画面に出発点（1）および複数の目的地（3）を表示する方法において、該方法は以下の、
−  位置ベースの表現で地形図の一部分である出発点（1）を選択し、該出発点を前記画面に位置ベースの表現で出発記号として示す方式で表す工程と、
−  複数の目的地（3）を選択し、該目的地（3）を前記画面に前記位置ベースの表現で目的地記号とする表示方式で個別に表す工程と、
−  前記出発点（1）から出発して前記目的地（3）に到達する選択基準、とくに移動時間や交通費を設定する工程と、
−  前記位置ベースの表現とは異なる、前記選択基準に適した第２の表現、とくに時間ベースの表現を選択する工程と、
−  第２の表現における前記目的地（3）の位置を、前記出発点からの距離に基づいて、前記選択基準を考慮して算出する工程と、
−  前記目的地（3）を第２の表現の目的地記号として前記画面に表示する工程とを含み、該工程において前記位置ベースの表現も引き続き前記画面で視認可能であり、第２の表現は前記出発点記号を中心とし、第２の表現における前記出発点記号からの前記目的地記号の距離は前記選択基準の関数であり、該方法はさらに、
−  前記位置ベースの表現における前記個々の目的地記号の少なくとも１つの位置と第２の表現における対応する目的地記号の関係性を表示する工程を含むことを特徴とする方法。
【請求項２】
請求項１に記載の方法において、該方法は、前記表示された目的地（3）の変更位置（8）を、目的地（6）を正確に縮尺した表示と前記選択基準（5）に従って場所を変更した前記位置（8）の表示を結ぶ関連線（15）によって表現する付加的方法工程を含むことを特徴とする方法。
【請求項３】
請求項１または２に記載の方法において、該方法は、前記支出基準（5）の選択後に、前記移動時間もしくは交通費または他の基準を２つ以上の区間に分けて、前記出発点（1）を中心とする環状線（14）によって表す付加的方法工程を含み、前記環状線（14）および前記変更された目的地（8）の表示は同一の縮尺に基づくことを特徴とする方法。
【請求項４】
請求項１ないし３のいずれか１項に記載の方法において、該方法は、見る者に対し、前記目的地（8）の位置の変更の表現を動的に行う付加的方法工程を含み、前記見る者は位置の変更を視覚的に探知することができることを特徴とする方法。
【請求項５】
請求項１ないし４のいずれか１項に記載の方法において、該方法は、様々な交通手段または様々な移動方式を前記選択基準（5）に対し利用できる付加的方法工程を含み、前記表示された目的地（8）の変更位置の決定の際に、前記交通手段または移動方式を個別にまたは組み合わせて考慮することを特徴とする方法。
【請求項６】
請求項１ないし５のいずれか１項に記載の方法において、該方法は、交通費および乗り物と関係のない費用も前記選択基準（5）として利用者が追加的に算出することができる付加的方法工程を含むことを特徴とする方法。
【請求項７】
請求項１ないし６のいずれか１項に記載の方法において、該方法は、２以上の選択基準（5）が選択可能であり、各個別の選択基準（5）に従って、または２以上の選択基準（5）の組合せに基づいて、前記目的地（8）の前記変更位置を図形的に表現する付加的方法工程を含むことを特徴とする方法。
【請求項８】
請求項１ないし７のいずれか１項に記載の方法において、該方法は、前記表示すべき目的地（3）に関する複数の項目を決定し、所定の目的地（3）を強調表示の対象から除外する付加的方法工程を含むことを特徴とする方法。
【請求項９】
請求項１ないし８のいずれか１項に記載の方法において、該方法は、前記目的地（8）を、情報内容に関連付け可能な同一のまたは異なる大きさである同一のまたは全く異なる記号（1）によって強調表示する付加的方法工程を含むことを特徴とする方法。
【請求項１０】
請求項１ないし９のいずれか１項に記載の方法において、該方法は、１または複数の目的地（8）を選択し、該目的地の選択後、該目的地を用いて、画像強調またはその他の働きによって経路を表示することができる付加的方法工程を含むことを特徴とする方法。
【請求項１１】
請求項１ないし１０のいずれか１項に記載の方法において、該方法は、前記選択された出発点（1）、表示された前記目的地（3）の前記決定された変更位置（8）および前記地図（2）の表現を、変更せずに表示媒体の画面上で移動させることができる付加的方法工程を含み、前記出発点（1）を中心部に置く方式で表示できることを特徴とする方法。
【発明の詳細な説明】
【詳細な説明】
【０００１】
本発明は、地勢図において、選択された目的地点の配置位置を電子的に修正した図形を表現する方法に関するものである。
【０００２】
地図上の、とりわけ道路地図上の場所の距離の縮尺を、その他の地形的条件と共に表示することが知られている。道路地図は、一般的に、情報グラフィックスとして用いられ、また、そのように理解されている。道路地図は、配置位置に関する視覚情報の役割を果たす。情報の内容は、一律に地図の縮尺に基づく。そのため、道路地図を使う利用者は、種々の記号および道路地図上におけるこれらの記号の配置によって利用者自身の位置を確認でき、これにより、目的地点までの距離および経路を推測して見積もることができる。
【０００３】
一律の縮尺を適用することにより、表示された位置情報を表す記号は、空間的に実際の距離と同じ比率で示される。標準的には、このような道路地図は、印刷形態で配布されたり、車両ナビゲーションシステム、ルートプランナまたはパソコンもしくは携帯機器のナビゲーションシステムにおけるデータの画像表示としてモニタ上で使用されたりする。ITを基盤とした使用では、利用者に対し、付加的な情報の視覚的提示、すなわち、主に利用者のいる場所または出発点の表示を行い、さらに移動経路およびその他の交通に特定した位置関連情報、例えば交通障害、燃料補給設備および選択あるいは提案された移動経路の予想移動時間などの強調を行う。
【０００４】
この種の情報グラフィックスにおける位置関連情報の表現は、地図の縮尺に応じることとなる。したがって、位置間の距離を示す表現は地図の縮尺に結び付けられたままとなり、利用者は場所の位置およびそこに到達するまでの移動時間を表現に基づいて推測するか、あるいは音声または視覚による補足情報から移動時間を知る。移動時間は、地図の縮尺に基づく位置関連情報の視覚表現に影響を及ぼさない。
【０００５】
空間的に距離が同じである別々の場所に移動する時間は、交通経路、交通状況、選択する交通手段またはその他の条件によって変化し得る。その場合、正確に縮尺した場所への距離の表示は、その距離を移動するのに要する所要時間に誤りがある場合もある。例えば、正確な縮尺表示ではより近くにあるように、またはもっと離れているように表示されていて、距離が短い場所の方がより離れた場所よりもずっと簡単に移動できると推測されたとしても、空間的により短い経路の移動時間は、空間的により長い経路の移動時間よりも時間がかかることもある。
【０００６】
移動時間および交通費などの他の情報は、通常は単なる検索可能な付加情報として表示される。このような表示には、一般に英数字が用いられる。付加情報に応じての視覚認知に基づく地図表現の情報変更は行われない。
【０００７】
従来の正確な縮尺地図を使用する場合、利用者に対する視覚表現には、地図に示された場所に到達するために要する所要時間または所要移動コストに関する情報、および他の交通手段によって同じ所要移動コストで到達可能な場所への距離に関する情報が全く含まれていない。例えば最短移動時間もしくは最短移動距離、所定の道路の種類など、所定の基準に従って、選択された目的地点までの経路を強調する方式で表示するナビゲーションシステム、ルートプランナおよび電子地図は商業的に知られている。さらなる情報、例えば交通費などを、選択された交通手段および移動目的地に応じて表示することも可能である。しかしながら、単なるテキスト形式の付加情報としての表示である。
【０００８】
従来技術による道路地図を用いた情報の視覚表示には、利用者が、出発点からある目的地点に到達するのに要する支出を即座に推測できないという問題点がある。視覚的地図表現では、２つの場所間の最短距離を一番移動しやすい移動距離として認知する。利用者が地図表現において近くの場所以外の情報を参照して自身の位置を確認したい場合、利用者は付加情報を参照しなくてはならないため、情報を提示するまで時間がかかる。例えば、所定の場所までの移動距離を選択する場合、利用者は３通りある選択した場所への経路のうち１つを選ぶという選択肢を与えられることが非常に頻繁にある。そのため、選択可能な交通経路が色付きで強調表示され、移動時間が凡例に示される。一つには、ナビゲーションシステムまたはルートプランナがこれらのデータを提供した場合、選択肢として移動費用または交通費も示される。
【０００９】
このように、商業的に知られている地理的縮尺に基づく地図は、移動時間などの関連情報を有利かつ迅速に理解するには不十分である。
【００１０】
商業的に知られている手法の他に、従来の地勢図描写に時間的要因を含ませる別の手法も知られている。
【００１１】
等時間地図表示が知られている。この場合、目的地に到達するまでの所要時間は、表示された地図内に異なる色で示される。例えば、同じ所要時間で到達できる地図領域にそれぞれ一定の色付けがされる。
【００１２】
等時間地図における移動時間の要因は、出発点を中心とした同一の時間ベース距離を個別の色で記した面および点を用いて地勢図に時間ベースの表現を組み合わせて表現する。しかしながら、この種の表現は、まずは色付けされた面を認識して比較した後に、検索工程において地理的表現に対応させなくてはならないため、人間が直観的に理解することは不可能である。
【００１３】
また、選択された出発点を中心とした移動時間の表現は、ドイツ特許出願公開第100 46 000 A1号明細書によっても公知である。当該公報での表現は、選択された出発点を中心とした目的地を単なる時間依存で表現した地理的な従来表現がなされる。
【００１４】
そのため、単に時間ベースの地図における表現では、ドイツ特許出願公開第100 46 000 A1号明細書に示されるように、出発点を中心とした移動時間要因の情報を改善した状態で組み込むには不十分である。取得された情報をこのような単なる時間ベースの地図に割り当てると、位置確認の地理的な枠組みを欠くことになる。利用者には、白色面上に多数の目的地点が示される。そのため、目的地点を理解するためには見る者の精神的努力を要する、すなわち、従来の地勢図などの別の情報を用いてまずは目的地点を割り当てなければならないため、得られた効果もまた失われてしまう。
【００１５】
また、電子地図の表現における移動時間要因の表現が欧州特許出願公開第1 56 60 A1号明細書により公知であり、表示された経路に沿った出発位置および目的位置に続いて、場所および道路の表現など地図の特徴的要素が時間要因に応じて変形された状態で表される。また、欧州特許出願公開第1 56 60 A1号明細書では、経路の地理的表現および経路の時間依存表現を、同時に２つのウィンドウで平行して画面に示すことによって、示された内容を対比的に理解できると記載している。
【００１６】
しかしながら、欧州特許出願公開第1 56 60 A1号明細書によると、経路の地理的表示および経路の時間依存表現を、表示された内容を対比的に理解可能なように、同時に平行して２つのウィンドウで画面上に示すことには不利益がある。どのようであれ、２つのウィンドウに表示することは、直ちにかつ一意的に理解する妨げとなる。さらに、このような表示形式は、時間ベースの表現の変形が従来の地理的表現に比べほんのわずかである場合にしか働かないという大きな問題点がある。乗用車の場合において可能移動速度が20〜200km/hであることを考慮に入れると、例えば大きな都市の場合のように、高速道路出入口、アクセス道路および低交通量区間を含む地域を時間ベースで表現すると、時間ベースの地図ではもはや有益な情報の有用性を示せないほどの10倍もの大きな変形を受けてされてしまうことになる。
【００１７】
簡潔に述べると、従来技術による手法はいずれも、地勢図における時間要因およびその他の付加情報の知覚の大幅な改善に関して不利である。
【００１８】
本発明は、公知の方法を改良して、利用者が出発点に基づいて選択した目的地に到達するのに要する労力、とりわけ必要となる移動時間をすぐに認識できる方法を提示することを目的とする。
【００１９】
このような目的は、請求項１に係る方法によって達成される。
【００２０】
本方法によると、位置ベースの表現、および時間ベースの表現などの第２の表現を、互いに上下に並べて一緒に画面に表示する。目的地は目的地記号で表され、位置ベースの表現および第２の表現において同一である。目標は、移動時間などの選択基準によってさらに簡単に到達できる目的地を、位置ベースの表現において対応する目的地記号よりも出発地記号に近い目的地記号を用いて第２の表現で表すことである。また、位置ベースの表現において対応付けられた目的地記号よりも出発地記号から離れているために支出が大きい目的地を第２の表現で表すことである。好ましくは、支出（例えば移動時間、費用など）と距離、すなわち出発点と目的地の間の移動距離との積の算出値を最適化する。あるいは、支出のみを最低限に抑えることが好ましい。位置ベースの表現では、画面に表示される地勢図の縮尺は一定であることが好ましく、出発点からの距離によっても変更されない。
【００２１】
位置ベースの表現における少なくとも１つの目的地記号の位置と、第２の表現において対応する目的地記号の関係性を表示することにより、利用者は、どの目的地がより好適であるか即座に判断でき、例えば、所定の時間内に到達できる目的地および到達できない目的地を判断できる。そのため、第２の表現にはいわゆる極座標が有利である。第２の表現の目的地記号は、有利には、（同一目的地の）位置ベースの表現における共通の出発点記号を対応付けられた目的地記号と結ぶ直線上に配されている。
【００２２】
この場合、位置ベースの表現における出発点は第２の表現における出発点と一致すると有利である。これによれば、利用者は自身の位置を再確認しなくてもよい。第２の表現は位置ベースの表現に組み込まれるため、利用者は他の表現を見てその表現に適応する必要はない。
【００２３】
位置ベースの表現は、現在市販されている地図およびGPS装置で見つけ出せる表現であると考えられる。位置ベースの表現は、地勢図の一部分を示す。位置ベースの表現は、均等目盛で表示される。
【００２４】
利用者は、位置ベースの表現に重ね合わされた、目的地に到達するまでに要する支出に関する情報を直接取得する。
【００２５】
データ処理装置は、GPS装置、ラップトップコンピュータ、その他のコンピュータなどの電子部品であると理解される。画面はデータ処理装置に接続され、当該装置によって制御される。例えば、画面はラップトップコンピュータまたはGPS装置の画面である。入力装置はデータ処理装置に接続される。入力装置は例えば、キーボード、音声入力装置または画面のタッチセンサ部として構成されている。出発点の選択、複数の目的地の選択、選択基準の設定などは、入力装置を用いて行われる。
【００２６】
改良した変形例では、他の表現に関連する１つの表現の輝度および／または情報内容を削減することができ、これによって、総じて全体的な表現の理解が容易になる。これにより、例えば、位置ベースの情報内容を削減してもよい。とくに、複数の目的地が選択された場合に情報内容を削減できるため、関係ない地理的データを省いてもよい。
【００２７】
第２の表現は、具体的には、時間ベースの表現である。好ましくは、例えば10分、20分、30分といった異なる時間間隔を有する円が画面上の目的地記号の周辺に示される。第２の表現のこれらの円内に配された目的地記号は、既定の時間内に到達可能であることを示す。例えば交通費、入場料、交通状況など、別の表現を第２の表現とすることも可能である。
【００２８】
少なくとも１組の個別の記号、すなわち、位置ベースの表現における目的地記号と第２の表現における対応する目的地記号について、好ましくはすべての組の記号について２つの記号間の関連性が示される。これによって利用者は、ある表現においてどの目的地記号が他の表現の目的地記号に相当するのか、容易に理解できるようになる。関連性は、１組の記号間を接続する線、具体的には直線の表示によって把握することができる。関連性を他の方法で描写してもよく、例えば、それぞれの組ごとに色分けしたり、異なる記号を付したりする。
【００２９】
特許請求の範囲の請求項１に記載の発明は、目的地を検索して選択する際に、位置ベースの情報の提示に時間がかからないようにすることを根幹としている。具体的には、より短時間での目的地の選択の決定に関連する情報をより多く用いて、IT技術においてモニタに表示する用に供される道路地図を利用者に提示するものである。
【００３０】
これは、地図の表示内容に対する人間の認知には限界があるという見識に基づく。人間の認知可能性はその人の身体的状態により制限されるものである。認知可能性は、即時的な理解から、確認のために一連の認知過程を経なければならない理解の程度まで、理解できる情報に応じてその速度が定まる。
【００３１】
例えば、一旦アナログ式時計の読み方を覚えてしまえば、アナログ式時計を見るということは、人間の認知が直接かつ即座に働く時間表示の一種である。時計の閉じた視覚系によってアナログ式時間を即時に認知しやすくなり、時計の針の位置もまた、直接的に認知可能な時間像となる。同様の直接的な認知は地図検索の領域において本発明の対象となる。
【００３２】
アナログ式時計を見る際のように、さらに認識過程を経て認知しなくてもよい場合、または認識過程が最小限度である場合、理解は急速、直感的、かつ即時的に行われる。他のあらゆる事例において、認知にはまず認識過程が必要となるため、理解および認知が困難となり遅れる。この例として、縮尺の異なる２種類の地図を比較する、または絵地図表現に加えられる補足的数値情報を読み取り、評価し、組み合わせる際の認識努力がある。
【００３３】
視覚表現を理解する人間の認知能力、速度および効率は、一連の要因に基づいて定まる。
【００３４】
地図の図形内容を認知する場合、決定的要因は、地図を一見しただけで認知できるのか、最初に２つ以上の図形内容に視界を移さなければならないのか、または図形内容も認識過程で整理して図形の主旨を理解しなければならないのかということである。
【００３５】
地図の図形内容の認知において、別の決定的要因は、表示された内容が有利にはどのように、人間の認知のうち一般的に知られている参照パターンのテンプレートに適応されるかということである。
【００３６】
したがって、公知の、大陸を表示した世界地勢図は、人類に共通となる基準枠を示す一般的な学問上の内在的な基本的見識である。人間はまた、自身の国および地域の地図にも熟知してゆく。このような地図には、例えば海、川および森などの自然に存在する地理的要素、ならびに国境、都市、道路などの人工的要素の両要素を示す一般的な地図要素も含まれている。このような学問上の基準枠により、地図の内容を身体的に理解する基礎が形成され、地図の個々の要素を理解可能にする速度が定まる。
【００３７】
そこで、例えば単なる時間依存縮尺を選択して一般的な幾何学的縮尺を放棄し、地理学上の基準枠が廃された場合、時間ベースの地図を認知しても人間の精神に関する比較可能な学問的要素を参考にすることができない。一般的に通用する地勢図の一種のような、地図表現において一般的に学習可能な時間に基づく基準枠を創作することは全く不可能である。なぜならば、時間尺度とは、自由に選択された出発点および現在の交通状況などの他の要因に応じて変化する常に相対的な表示だからである。
【００３８】
このような認知心理学による見識が、本発明による方式に利用される。
【００３９】
本発明により得られる利点は、とくに、利用者が地図表現を利用することによって、それぞれに組み合わせることも可能な所定の基準に基づき、地図上の好適と判断された場所の図形表現を得られることにある。ここでは、出発点に応じて決まる距離の基準以外の基準に従って目的地点を表す表現を、出発点から選択された目的地点までの距離を正確に縮尺した表現に代えて、または正確に縮尺した表現と併せて使用する。しかしながら、一般的に知られている地理的縮尺による地図表現は、好都合なことに、まだ完全に廃止されたわけではない。むしろ、人間の理解および認知の観点において、地図表現は、時間尺度などの別の尺度に基づいて行われる選択された目的地の位置変更に関する位置確認枠および準拠枠の役割を果たす。このように、１回の表示において２つ以上の表現が考慮されるため、関連情報は画像または地図の１つの区画内で個々に選択された出発点の周辺に視覚的に凝縮され、これによって、情報を一目で認識および理解することができる。２つ以上の異なる地図描写における２つ以上の表現の表示は省かれる。選択された目的地の位置が変更される時に有利な認知を支援する基準枠としての役割において、例えば少しだけの特徴的要素を選択することで、またはわずかな特徴的要素に絞ることで、公知の地勢図を画像的に単純化する。
【００４０】
これにより、目的地点を好適な基準に従って配置することができ、利用者は自身に関係する目的地点の基準をより簡単に比較することができる。提示された目的地点への到達に要する所要時間または費用の表示について、利用者は文字による表示を参照する必要がなく、目的地に到達するまでの支出を、表示画面内にある目的地の位置を変更した表現または目的地の記号に基づいて視覚的に比較することができる。
【００４１】
選択された目的地に対して地理的表現とは異なる表現が補足的に用いられ、地図の残りの部分の地理的縮尺を変更することなく、少なくとも１つの第２の表現に従って目的地が補足的に表示される。時間を選択基準にする場合、目的地の表現は目的地に到達するのに要する時間であり、交通費を選択基準にする場合、表現は目的地に到達するまでに要する交通費である。
【００４２】
時間および費用は、目的地までの交通手段による移動に根本的に内在する２つの要因すなわち選択基準であるため、目的地を検討して選択する際の主要な意義となる。交通手段の選択は、時間および費用の要因の形成に決定的な影響を与える。目的地に移動する際に従来の交通手段を利用せず、費用をかけずに徒歩で移動する場合でさえ、材料損耗に起因して、または転嫁された機会費用を負うことによって、総和的な費用がかかる可能性がある。
【００４３】
しかしながら、交通手段のみならず、他の構成要素、例えば目的地までの経路や目的地それ自体も、目的地を検索して目的地に到達するために重要なものである。
【００４４】
したがって、個々の、主観的ですらある属性または選択基準を対象とする別の表現を、数値目盛に変換可能であることを条件として表示してもよい。例えば、別の目的地および経路にも異なる水準の誘引性があると認識され得る。このような誘引性は数値で評価することができるので、目的地への到達についての表現に対する尺度の役割も果たす。
【００４５】
本発明に係る方法により、利用者は視覚的表現に基づいて、交通費、移動時間もしくは種々の交通手段に関する他の選択基準またはこれらの組合せに従って、さまざまな目的地を選択することができる。これにより、位置的距離が交通費および／または移動時間に応じて表される。実現可能な拡張的変形例において、目的地の誘引性および／または目的地への経路の誘引性は数値形式で取り入れられ、均等目盛で組み込まれる。これにより、縮約した地勢図表現に加えて、当該表現に重ね合わされた、時間と費用のうち少なくとも一方を基礎とする表現、および／または経路の誘引性、および／または目的地の誘引性（および／またはその他の特性）など様々な他の表現の均等目盛による組合せに応じた１つの目的地点の表現が利用者に示される。この場合に利用者は、個々の利用者の好みに応じて考慮すべき要因の選択を設定できるとともに、個別に重みづけできる。
【００４６】
本発明の別の有利な実施例は、目的地の特性をその利点に基づいて図形により視覚的に強調することから構成されている。一例として、目的地がホテルである場合、その利点は、例えば価格、設備、格付けおよびホテルの宿泊客による評価によって表される。これらの特性は、円などの単一の記号で、個別にもしくは組み合わせて、または組み合わせたうえに重みづけをして表示してもよい。ここで、円は目的地を表し、円の径は円の有利性を表し、増加していく円の径は目的地の有利性が増大していることを示している。また本発明の別の実施例として、例えばホテルや観光名所やレストランなどさまざまな種類の目的地を検索する場合、各種の目的地にそれぞれの視覚記号を割り当てることにより、一目で目的地の種類を見分けられるようにできる。このような型の記号は一般的に知られている記号であり、大きさが変わってもそれらのデザインを直感的に理解できるため、このように簡略化された視覚表現は、目的地の有利性を迅速に認知する役に立つ。
【００４７】
本発明の別の有利な実施例では、目的地に到達すべく割り出された経路の有利性を、記号を使った図形による経路の視覚的マーキングによって示す。この場合、例えば、経路の誘引性を数値形式で組み込んで、これに応じて、経路の誘引性の認知が高まると色や線の純度が高くなるように経路をマーキングして示す。
【００４８】
したがって、本発明に係る方法は、目的地および目的地に影響を及ぼすパラメータが数多く示された場合であっても、利用者が目的地を素早く効率的に見つけ出し、理解しさらに評価できるようにする。この場合、出発点付近の視覚的な目的地表現を表示媒体または画面のうちの画像中央に移動させることも有利となる。例えば、選択された出発点の周辺にホテルがある場合、利用可能なホテルの数が多いと、目的地への到達に要する実時間を理解するのに費やされる時間労力はただでさえ非常に大きい。それぞれのホテルに到達する交通費も同時に考慮する場合、支出労力は著しく上がり続ける。しかしながら、ホテルの料金、ホテルの誘引性の評価、ホテルの設備など、ホテルへの滞在に伴うさらに他の選択基準が加わると、さらなる支出労力が直線的ではなく過度に指数的に増加するため、さらなる基準が追加されるとある時点以降は処理できなくなる。しかしながら、本発明の方法によってモニタ上にある１つの地図部分にデータを凝縮して視覚化することで、利用者は、一例としてホテルなど選択された目的地の有利性を一目で認識して理解することができる。
【図面の簡単な説明】
【００４９】
以下に、本発明の典型的な実施例について添付図面を参照して詳細に述べるが、本発明はこれらの実施例に限定されるものではないと理解すべきである。
【図１】画面上における地形図の表現を示す。
【図２】図１による表現を示し、出発点および目的地を表す複数の目的地記号が補足的に組み込まれている。
【図３】図２から出発点および目的地記号のみを抽出した表現を示す。
【図４】図３と同様の表現に加えて、時間ベースの表現で、すなわち出発点からの時間的距離に基づいて目的地を表す目的地記号の位置を時間ベースの表現で示す。本例では、異なる表現における各目的地の２つの目的地記号が互いに直線で結ばれている。
【図５】図４と同様の表現であるが、出発地記号からの時間的距離に対応する円を出発地記号の周囲に補足的に描いた状態で示す。
【図６】図５と同様の表現を、目的地記号を変更して示す。
【図７】図１と同様の表現を、図４による表現と重ね合わせて示す。
【図８】図５による表現を、背景を薄い色にしてさらに情報内容を縮減した図１による表現の前面に示す。
【図９】図４による表現を、背景を薄い色にしてさらに情報内容を縮減した図１による表現の前面に示す。
【図１０】図による表現を、背景を薄い色にしてさらに情報内容を縮減した図１による表現の前面に示すものであり、選択された出発点はモニタの中央部に配置されるか、または動かされる。
【発明を実施するための形態】
【００５０】
位置を変更した表現を行うために、利用者はまず出発点１を設定する。電子地図２では、いつでも出発点１を変えるまたはずらすことが可能なため、表現を変えやすい。出発点は現在地に対応していてもよく、または任意の手法で設定してもよい。本発明による表現が事前に印刷された地図２に反映される場合、展示会場、空港、鉄道駅、公共空間、観光情報センターなどの一般的に需要の高い場所が出発点１を表示する際に選択される。目的地３の表現を変えた地図２は、一般的に紙の形態で配布されて使用される。
【００５１】
縮尺に基づく形式の地図、すなわち道路地図、市街地図、ハイキング用地図などはすべて、地図２と見なす。出発点１を決定して地図２に印または記号４を示した後、表示すべき目的地３および支出基準５を決める。
【００５２】
表示すべき目的地３は都市や町であり、例えばホテル、レストラン、バー、店舗、ガソリンスタンド、美術館、観光名所、行楽地、公共施設など、位置ベースの施設でよい。
【００５３】
移動時間および交通費は、とくに支出基準すなわち選択基準５の項目として適している。しかし、他の基準５、例えば交通量、移動経路の誘引性、目的地の誘引性などもまた、それぞれに、または組み合わせることによって適するものとなるだろう。
【００５４】
次に、強調表示または目的地記号（第１の表現）７によって、目的地３を地図２の正確に縮尺した別表現形式６に表示する。第２の変更された表現８を選択して、選択された支出基準５に関連して表示および強調された目的地３の位置を、第２の強調表示または目的地記号（第２の表現）９によって表示する。そのため、目的地３は支出基準５に関連して、出発点１あるいはその近く11への直線10上、出発点１と同位置11または出発点１からずっと離れた位置12に示される。同様に、位置ベースの表現においてそれぞれの正確な縮尺位置６に応じた支出よりも少ない支出で到達可能な目的地３は、出発点１に近い位置に表示される。したがって、到達までの支出がより大きくなり得る目的地３は出発点から離れた位置に表示される。目的地３の変更表現８に関する距離は、選択された支出基準５に関連して、または複数の支出基準５の組合せに基づいて決まる。より良好に位置確認すべく、上述のように決められた距離は一区間の目盛に対応付けられるため、同心環状線13を用いて地図２上に表示可能であり、同時に出発点１は円の中心位置を表す。
【００５５】
個々の目的地３に関する特定の支出に関する情報を提示するために、場所８の変更位置は、割り当てられた環状区間14内に表示される。この場合、場所６の正確な縮尺位置と場所８の支出ベースの位置の間の関連線15を用いて位置の変更を示すと有益であり、出発点１に近づいていることや、出発点から離れていることを直感的に認識可能になる。そのために、関連線15は実線、点線もしくは色付き線でもよく、変更方向を表す矢印記号を有していてもよく、あるいは別の意義ある表現形式であってもよい。場所６の正確に縮尺した元の位置は透過的形式で表してもよく、あるいは異なる色で表現してもよい。支出を決定する場合、交通条件に関して取得可能な情報をすべて考慮することが望ましく、具体的には、現在の交通状況、気象条件、および選択された支出基準５に影響を及ぼし得るその他の条件を考慮する。目的地３は支出に基づいて自動的に配置されるが、地理的に正確な縮尺である地図表現16は、例えばいくつかの明確な地理的位置確認要素17を除外することにより、またはさらなる図形的および視覚的な削減により、視覚的に後景に退く。
【００５６】
有利な実施例によると、支出基準５の選択に続いて目的地３の位置の変更が動的に行われる。そのため、目的地３の位置の変更は、目的地３の変更位置に対する幾何学的縮尺６に基づいて、動きとして行われて画面に表示される。したがって、見る者は、これまで考慮に入れていなかった目的地３の有利性をより早く効率的に理解することができる。見る者は、短い映像または他の図解的電子視覚動画を例えば最長１分間、また必要に応じて最長３分間にわたって視聴する。その後、図７に示す表示を見ることになる。
【００５７】
別の有利な実施例によると、出発点１を決定した後に、利用可能な移動手段および交通手段の選択を行ってもよい。その場合、交通手段の個別選択が、交通費の支出基準５に対する交通費の算出の基礎となる。このような選択は、乗用車などの単独の交通手段、または飛行機、鉄道、公共輸送機関、タクシー、自転車、徒歩などの異なる交通手段の組合せに限定してもよい。この場合、交通手段の組合せは、有利には交通費の最適化に応じて適応し得る。交通手段の組合せは、結果が一番安価な合計額となるように算出され表示される。
【００５８】
別の有利な実施例によると、位置が変更された目的地は記号１で示され、個々の記号１の大きさは、目的地３の有利性を考慮に入れている。様々な種類の目的地３に対し、それぞれに同様の記号を付してもよい。
【００５９】
別の有利な実施例によると、異なる交通手段の交通費を考慮するのに加え、個々の機会費用も支出基準５に含めてもよい。例えば、目的地までの移動時間に基づいて他のことには費やせない時間を規定して、さらには移動先に関する総交通費の算出に組み込まれる個別の合計費用から考慮する。
【００６０】
別の有利な実施例では、さらなる支出基準５および目的地に影響を及ぼすその他の要素により、利用者によって拡張された支出基準５に応じて目的地３の位置を変更して表現できる。したがって、交通費に基づく目的地の表現の他に、目的地の時間依存表現の要素を考慮に入れることができる。一変形例では、選択された目的地３は交通費に応じて位置を変更する方式で表示され、さらに別の選択可能な変形例では、目的地３は時間支出の基準５に応じて位置を変更する方式によって表示される。別の変形例では、利用者は個々の支出基準５を等しく、または別々に重みづけして組み合わせてもよい。これによって、単一の表現において、組み合わせた支出基準５に基づいて位置が変更された目的地３の変形例を生成することができる。
【００６１】
本発明の別の実施例によると、目的地の位置変更表示には、異なる種類の目的地３およびそれら個々の組合せの選択、ならびに個々の目的地３の除外が含まれる。
【００６２】
直感的認識を向上させるために、本発明の別の実施例では、利用者は地図２を含む出発点１の位置や表示された目的地３を変更できる。個々の選好に応じて、出発点１を画面の中央部または別の位置に表示することが可能である。
【００６３】
図１に示す正確な縮尺の地図２は、様々な都市間の距離、河川および湖の位置、都市の大きさ、ならびに道路の経路および地理的位置を、地理的位置確認要素17として縮尺して示している。図１に示す地図２は、誰でも読解可能な従来の正確な縮尺の地図２に相当する。配置位置は縮尺して示される。公知のキロメートル値を、目盛に変換して適用する。地図２の一般的な要素は記号で表現される。これらの記号は地図の種類に応じて補足的な凡例で説明されるものであるが、ここではそのような描写は省略した。誰でも、地図を読んで地図から空間的な場所の相互の距離が異なることを推察することができ、その道筋に沿って所定の場所に到達できるであろう。
【００６４】
図２は、地図２内での目的地３の正確な縮尺による強調表示７を示す。図２は、図１に示す地図と同じ地図２を示す。表現は予想目的地３の表示および出発点１の表示によって補われる。目的地３は、例えば店舗、観光名所、ホテル、レストランなど、所定の基準に基づいて個々に選択してもよい。目的地は強調表示７を用いて電子的に表示され、図２ではしずく形記号で表されている。地図における表現は、出発点１の位置と同様に、実際の空間的位置12に対応している。
【００６５】
図３は、地図２を表示せずに、目的地３の正確な縮尺による強調表示７を示す。図３では、目的地の位置を変更せずに、目的地の強調表示３、７および出発点１を地図２の表現から切り離して示している。この表現からは、目的地３の配置は見る者には明白でない。地図２に通常示される地理的位置確認要素17に基づく位置確認だけが、何らかの支援を与え得る。見る者は、出発点１と目的地３の間の距離に基づいて、他の目的地３からの距離とは異なって見える距離を判断できるはずである。しかしながら、そのためには表現を詳細に読み解かなくてはならない。
【００６６】
図４は、地図２を表示せずに変更された目的地８を示す。図４では、図３に示したように、目的地３、６および出発点１の表現を利用して、支出基準５から算出した目的地３の位置の変更を示す。選択された支出基準５に基づけば出発点１に対してより好適な位置にある目的地３は、出発点１に近い位置11に示される。選択された支出基準５に基づけば位置があまり好適ではないと評価せざるを得ない目的地３は、より離れた位置13に示される。変更された位置から元の位置６までの距離は、変更線15によって示される。
【００６７】
図５は、地図２を表示せずに変更された目的地８を環状線14で示す。図５は、図４に関して説明した事項をすべて示している。表現は環状線14によって補足されるため、１または複数の目的地３の配置を環状線14間の所定の区間目盛で容易に対応付けできる。
【００６８】
図６は、変更された行先を記号１で示している。図６は、目的地の位置を変更した表現を示す。目的地３の特質および種類を見分ける種々の記号１を使用して、位置が変更された目的地３、９を強調する。
【００６９】
図７は、変更された目的地８を、地図２を用いて示すものである。図７は最終的に、位置を変更した目的地３、９の表現を、図４に関して述べた変更線15を用いて示す。図４で用いた目的地３の表現は、図１による背景としての地図２に重ね合わされるため、目的地３の正確な縮尺位置６を地図上に正確に配置することができる。より有利な目的地は出発点１の方向に移されるため、地図の論理から、より近傍にあるまたはより有利な位置にあると確認できる。その一方、より遠位にある目的地３、13は、離れた場所にあり利点が少ないと判断できる。
【００７０】
図８は、地図２の画像情報を減らして、背景として示すものである。本図は、図１による地図２を、使用されたままの状態で、視覚認識できる程度を低減させて、背景として示す。地理的位置確認要素17の数を減らし、画像を明るくして表示している。目的地３の変更位置および目的地の地理的位置３、６は、図５に示すような関連線15による表示とともに、地図に重ね合わされている。
【００７１】
図９は図８に対応するものであり、目的地３、８および環状線14を伴う。図９でも同様に、図１で用いられた地図２を、視覚認識できる程度を低減させて、背景として示している。地理的位置確認要素17の数を減らし、画像を明るくして表示している。目的地３の変更位置および環状線14の表現が、地図に重ねられている。
【００７２】
図10は、中心に置かれた出発点１の周囲に目的地３、８が配された地図２を示す。図10は、出発点１を中心に置く表現を行う方法手順によって補完される図を示す。
【００７３】
所定の目的地３を地形図２に可変的に表示する方法において、出発点１が選択または指定される。指定による場合、出発点１は強調する方式で地図２に示される。好ましくは、出発点は地図２の中心に移して表示される。表示すべき目的地３の指定に従って、指定目的地６に適合する場所の位置も、使用される地図部分に強調表示７される。空間地図による部分とは異なる地図縮尺で目的地３を表示する選択を行う場合、支出基準５を選択して、場所に関連する情報に基づいて、変更された縮尺の基礎として用いる。支出基準５から判断された表示目的地３の変更位置は、選択された出発点１に応じて、地図２の地理的縮尺はいかなる他の方法で変更されることもなく、図形で表現される。変更された位置を地図２で表現するために、地図２は好ましくは、明るくされ、よりぼやけた方式で表示され、単純化され、および／または情報の内容が削減される。第１の初期地図が描画および内容に関して縮約されることにより、とくに、時間ベースの表現に重ね合わされる場合、利用者の負担が少なくなる。２つの地図を組み合わせた後、当該２つの地図を動画化し、選択、縮約を行い、最後に中央部に移すことにより、理解しやすい内容が得られる。
【参照符号の一覧】
【００７４】
1  出発点
2  地図
3  目的地
4  出発点の表示、出発点の記号
5  支出基準
6  目的地を正確に縮尺した位置
7  （第１の表現における）目的地を正確に縮尺した強調表示または目的地記号
8  目的地の変更された位置
9  基準に基づく（第２の表現における）目的地の強調表示または目的地記号
10  出発点までの直線
11  位置ベースの表現によるものと比較して出発点に近い目的地
12  目的地の未変更の位置
13  位置ベースの表現によるものと比較して出発点から離れている目的地
14  環状線
15  変更線
16  正確に縮尺した地図表現
17  地理的位置確認要素
18  記号
【図１】
2019500617.tif 000003
【図２】
2019500617.tif 000004
【図３】
2019500617.tif 000005
【図４】
2019500617.tif 000006
【図５】
2019500617.tif 000007
【図６】
2019500617.tif 000008
【図７】
2019500617.tif 000009
【図８】
2019500617.tif 000010
【図９】
2019500617.tif 000011
【図１０】
2019500617.tif 000012
【国際調査報告】
2019500617.tif 000013
2019500617.tif 000014
2019500617.tif 000015
2019500617.tif 000016
2019500617.tif 000017
2019500617.tif 000018